【手続補正書】
【提出日】平成16年10月12日(2004.10.12)
【手続補正１】
【補正対象書類名】明細書
【補正対象項目名】特許請求の範囲
【補正方法】変更
【補正の内容】
【特許請求の範囲】
【請求項１】
一定の磁場強度の静磁場を発生する静磁場発生手段と、前記静磁場の空間分布を均一にするための付加的磁場を発生する磁場補正手段と、磁場強度勾配を発生する傾斜磁場発生手段と、高周波磁場を発生する手段と、被検体から発生する核磁気共鳴信号を検出する手段と、前記核磁気共鳴信号を処理してその結果を表示する手段とを備えた磁気共鳴イメージング装置において、
前記静磁場発生手段および／又はその周辺の温度を検出する手段と、前記温度検出手段が検出した温度に基づいて前記磁場補正手段を制御する手段とを備えたことを特徴とする磁気共鳴イメージング装置。
【請求項２】
前記制御手段は、前記温度検出手段が検出した温度を設定する手段を備えたことを特徴とする請求項１記載の磁気共鳴イメージング装置。
【請求項３】
前記温度検出手段は、少なくとも２個所の温度を検出することを特徴とする請求項１又は２に記載の磁気共鳴イメージング装置。
【請求項４】
前記静磁場発生手段は、超電導コイルを内包する液体ヘリウム槽を有する超電導磁石の一対が対向配置されて、相互の前記液体ヘリウム槽を連結する連結管と前記一対の超電導磁石を囲んで磁気回路を形成する鉄ヨークとを有し、
前記温度検出手段は、少なくとも前記鉄ヨークと前記連結管の温度を検出し、
前記制御手段は、前記鉄ヨークと前記連結管の温度を用いることを特徴とする請求項３記載の磁気共鳴イメージング装置。
【請求項５】
前記補正手段は、異なる空間成分の付加的磁場を発生する複数のシムコイルを有し、前記制御手段は、前記異なる空間成分のシムコイル毎に前記付加的磁場の発生を制御することを特徴とする請求項１乃至４のいずれかに記載の磁気共鳴イメージング装置。
【請求項６】
磁気共鳴イメージング装置において静磁場発生手段が発生する静磁場を、付加的磁場を発生させて均一に維持する方法であって、
前記静磁場の空間分布の不均一成分の温度依存性を求めるステップと、
前記付加的磁場の磁場発生特性を求めるステップと、
前記静磁場発生手段の温度を検出するステップと、
前記検出温度と前記静磁場の均一度を最良にしたときの基準温度との温度差から前記温度依存性に基づいて前記静磁場の変化量を求めるステップと、
前記静磁場の変化量を打ち消すための前記付加的磁場を前記磁場発生特性に基づいて求めるステップと、
前記静磁場の変化量を打ち消す付加的磁場を発生させるステップとを含むことを特徴とする方法。
【請求項７】
一定の磁場強度の静磁場を発生する静磁場発生手段と、前記静磁場の空間分布を均一にする付加的磁場を発生する磁場補正手段と、磁場強度勾配を発生する傾斜磁場発生手段と、高周波磁場を発生する手段と、被検体から発生する核磁気共鳴信号を検出する手段と、前記核磁気共鳴信号を処理してその結果を表示する手段とを備え、
前記静磁場発生手段は、超電導コイルを内包する液体ヘリウム槽を有する超電導磁石の一対が対向配置されて、相互の前記液体ヘリウム槽を連結する連結管と前記一対の超電導磁石を囲んで磁気回路を形成する鉄ヨークとを有し、前記磁場補正手段は、異なる空間成分の付加的磁場を発生する複数のシムコイルを有する磁気共鳴イメージング装置において、前記付加的磁場を発生させて前記静磁場を均一に維持する方法であって、
前記静磁場の空間分布の不均一成分に関する前記鉄ヨークの温度及び前記鉄ヨークと前記連結管の温度差に対する温度依存性を求めるステップと、
前記シムコイルの空間成分毎の磁場発生特性を求めるステップと、
前記鉄ヨークと前記連結管の温度を検出するステップと、
前記鉄ヨークの検出温度と前記静磁場の均一度を最良にしたときの基準温度との温度差及び前記鉄ヨークと前記連結管の温度差から前記温度依存性に基づいて前記静磁場の変化量を求めるステップと、
前記静磁場の変化量を打ち消す付加的磁場を前記シムコイルの空間成分毎の磁場発生特性に基づいてそれぞれ求めるステップと、
前記静磁場の変化量を打ち消す付加的磁場を前記シムコイルの空間成分毎に発生させるステップとを含むことを特徴とする方法。
【請求項８】
温度検出から付加的磁場の発生までを常時動作させることを特徴とする請求項６又は７記載の方法。
【手続補正２】
【補正対象書類名】明細書
【補正対象項目名】００１１
【補正方法】変更
【補正の内容】
【００１１】
【課題を解決するための手段】
上記目的を達成する本発明のMRI装置は、一定の磁場強度の静磁場を発生する静磁場発生手段と、前記静磁場の空間分布を均一にするための付加的磁場を発生する磁場補正手段と、磁場強度勾配を発生する傾斜磁場発生手段と、高周波磁場を発生する手段と、被検体から発生する核磁気共鳴信号を検出する手段と、前記核磁気共鳴信号を処理してその結果を表示する手段とを備え、前記静磁場発生手段および／又はその周辺の温度を検出する手段と、前記温度検出手段が検出した温度に基づいて前記磁場補正手段を制御する手段とを備えている。
【手続補正３】
【補正対象書類名】明細書
【補正対象項目名】００１８
【補正方法】変更
【補正の内容】
【００１８】
本発明の静磁場均一度維持方法は、MRI装置において静磁場発生手段が発生する静磁場を、付加的磁場を発生させて均一に維持する方法であって、前記静磁場の空間分布の不均一成分の温度依存性を求めるステップと、前記付加的磁場の磁場発生特性を求めるステップと、前記静磁場発生手段の温度を検出するステップと、前記検出温度と前記静磁場の均一度を最良にしたときの基準温度との温度差から前記温度依存性に基づいて前記静磁場の変化量を求めるステップと、前記静磁場の変化量を打ち消すための前記付加的磁場を前記磁場発生特性に基づいて求めるステップと、前記静磁場の変化量を打ち消す付加的磁場を発生させるステップとを含む。或いは、一定の磁場強度の静磁場を発生する静磁場発生手段と、前記静磁場の空間分布を均一にする付加的磁場を発生する磁場補正手段と、磁場強度勾配を発生する傾斜磁場発生手段と、高周波磁場を発生する手段と、被検体から発生する核磁気共鳴信号を検出する手段と、前記核磁気共鳴信号を処理してその結果を表示する手段とを備え、前記静磁場発生手段は、超電導コイルを内包する液体ヘリウム槽を有する超電導磁石の一対が対向配置されて、相互の前記液体ヘリウム槽を連結する連結管と前記一対の超電導磁石を囲んで磁気回路を形成する鉄ヨークとを有し、前記磁場補正手段は、異なる空間成分の付加的磁場を発生する複数のシムコイルを有する磁気共鳴イメージング装置において、前記付加的磁場を発生させて前記静磁場を均一に維持する方法であって、前記静磁場の空間分布の不均一成分に関する前記鉄ヨークの温度及び前記鉄ヨークと前記連結管の温度差に対する温度依存性を求めるステップと、前記シムコイルの空間成分毎の磁場発生特性を求めるステップと、前記鉄ヨークと前記連結管の温度を検出するステップと、前記鉄ヨークの検出温度と前記静磁場の均一度を最良にしたときの基準温度との温度差及び前記鉄ヨークと前記連結管の温度差から前記温度依存性に基づいて前記静磁場の変化量を求めるステップと、前記静磁場の変化量を打ち消す付加的磁場を前記シムコイルの空間成分毎の磁場発生特性に基づいてそれぞれ求めるステップと、前記静磁場の変化量を打ち消す付加的磁場を前記シムコイルの空間成分毎に発生させるステップとを含む。